(57)【特許請求の範囲】
【請求項１】
気化器本体を貫通する吸気路に連設された絞り弁案内筒内に、吸気路を開閉する摺動絞り弁が配置され、
該摺動絞り弁は、気化器本体に螺着されたストップスクリューに対接されて最低アイドリング開度が調整され、
さらに摺動絞り弁は、摺動絞り弁の開閉移動方向に沿って連続的に穿設されたスロットルガイド溝内に、気化器本体に固着されたスロットルガイドが挿入されて、摺動絞り弁の回転が抑止された摺動絞り弁型気化器において、
前記ストップスクリューＳを、吸気路２の長手軸心線Ｘ−Ｘに直交して摺動絞り弁７に対接配置し、
スロットルガイドＧを吸気路２の長手軸心線Ｘ−Ｘ上に配置し、
ストップスクリューＳと、スロットルガイドＧとを摺動絞り弁７の横断投影図において直交配置したことを特徴とする摺動絞り弁型気化器。
【請求項２】
気化器本体を貫通する吸気路に連設された絞り弁案内筒内に、吸気路を開閉する摺動絞り弁が配置され、
該摺動絞り弁の下端に形成される傾斜面は、気化器本体に螺着されたストップスクリューに対接されて摺動絞り弁の最低アイドリング開度が調整され、
さらに摺動絞り弁は、摺動絞り弁の開閉移動方向に沿って連続的に穿設されたスロットルガイド溝内に、気化器本体に固着されたスロットルガイドが挿入されて、摺動絞り弁の回転が抑止された摺動絞り弁型気化器において、
前記ストップスクリューＳを、吸気路２の長手軸心線Ｘ−Ｘに直交して摺動絞り弁７の傾斜面7Aに対接配置し、
スロットルガイドＧを吸気路２の長手軸心線Ｘ−Ｘ上に配置し、
ストップスクリューＳと、スロットルガイドＧとを摺動絞り弁７の横断投影面において直交配置したことを特徴とする摺動絞り弁型気化器。
【発明の詳細な説明】
【０００１】
【産業上の利用分野】
本発明は、機関へ供給する混合気の量及び濃度を調整する気化器に関し、そのうち吸気路を絞り弁案内筒内に移動自在に配置した摺動絞り弁にて開閉制御した摺動絞り弁型気化器に関する。
【０００２】
【従来の技術】
従来の摺動絞り弁型気化器は図５に示される。
摺動絞り弁型気化器には、摺動絞り弁２０の最低アイドリング開度を調整するストップスクリューＳと、絞り弁案内筒内において摺動絞り弁２０の回転を抑止するスロットルガイドＧが設けられる。
図５によって説明すると、１は内部を吸気路２が貫通するとともに吸気路２より上方に向かって絞り弁案内筒３が連設された気化器本体であり、気化器本体１とその下方に配置した浮子室本体４とにって浮子室５が形成され、該浮子室内には、図示せぬバルブシート、フロートバルブ、フロートの協同作用によって一定なる燃料液面が形成される。
ストップスクリューＳは、吸気路２の長手軸心線Ｘ−Ｘの一側方Ａにあって、気化器本体１に螺着されるとともに吸気路２の長手軸心線Ｘ−Ｘに直交して配置される。
そして、このストップスクリューＳの先端は、絞り弁案内筒３内に突出し、摺動絞り弁２０の傾斜面２０Ａに対接して配置される。
従ってストップスクリューＳを螺動することによって、ストップスクリューＳの先端を進退することによって摺動絞り弁２０の最低アイドリング開度を調整される。
ストップスクリューＳが絞り弁案内筒３内へ進入することによると傾斜面２０Ａを介して摺動絞り弁２０を上方へ移動させてアイドリング開度を増加し、一方ストップスクリューＳが後退することによると、傾斜面２０Ａを介して摺動絞り弁２０は下方へ移動してアイドリング開度を減少する。
【０００３】
スロットルガイドＧは、吸気路２の長手軸心線Ｘ−Ｘの他側方Ｂにあって気化器本体１に固着されるとともに吸気路２の長手軸心線Ｘ−Ｘに直交して配置される。
このスロットルガイドＧの先端は、絞り弁案内筒３内に突出するとともに摺動絞り弁２０の開閉移動方向に沿って連続的に穿設されたスロットルガイド溝２０Ｂ内に挿入配置される。
従って、摺動絞り弁２０が絞り弁案内筒３内において回転することが抑止される。
【０００４】
以上述べた通り、スロットルストップスクリューＳとスロットルガイドＧとは吸気路２の長手軸心線Ｘ−Ｘをはさみ、長手軸心線Ｘ−Ｘに直交する線Ｙ−Ｙ上に対向して配置される。
長手軸心線Ｘ−Ｘ、直交線Ｙ−Ｙは後述する図６によく示される。
【０００５】
【発明が解決しようとする課題】
摺動絞り弁案内筒３の中心に、摺動絞り弁２０の中心が完全に一致して配置された状態が図６に示される。
かかる状態において、摺動絞り弁２０の外周と、絞り弁案内筒３の内周との間には全周に渡って間隙Ｅが形成される。
この間隙Ｅは摺動絞り弁２０が絞り弁案内筒３内を移動する為に必要となる。
一方、スロットルガイドＧは、スロットルガイド溝２０Ｂの溝中心に配置され、スロットルガイドＧの外周と、スロットルガイド溝２０Ｂの内周との間には、間隙Ｆが形成される。この間隙Ｆが必要なことは、機関側の吸気路２Ａ内に大きな負圧が発生する摺動絞り弁２０の閉方向移動時において、摺動絞り弁２０は、機関側（図６において左側）に吸引され、図６において左方へ、その間隙Ｅに相当して移動する。
そして、この摺動絞り弁２０の機関側への吸引移動時において、スロットルガイドＧの右側面Ｇ１とスロットルガイド溝２０Ｂの右側面２０Ｃとを当接させない為である。
摺動絞り弁２０が機関側へ吸引されて移動した状態は図７に示される。
【０００６】
以上によると、スロットルガイドＧの外周と、スロットルガイド溝２０Ｂとの間には、比較的大なる間隙が形成されるものであり、一方、摺動絞り弁２０の傾斜面２０ＡにストップスクリューＳの先端が当接した際、摺動絞り弁２０は、図４において時計方向Ｊの回転押圧力を受け、摺動絞り弁２０は傾斜する恐れがある。
これは、この摺動絞り弁２０の時計方向に対する回転に対して何等規制する要素を備えないからである。
【０００７】
そして、前記によって摺動絞り弁２０が傾斜することによると、摺動絞り弁２０の下端面に対向して開口されたバイパス孔（後述する図１に示される）との相対位置、及び摺動絞り弁２０に取着されたジェットニードル２１とニードルジェットとによって形成された環状の間隙が変化し、これによると、それらバイパス孔及び環状の間隙から吸気路２内に吸出される燃料流量にバラツキが生じ、正確な燃料制御及び再現性の秀れた燃料制御を行なう上で好ましくないものであった。
【０００８】
本発明になる摺動絞り弁型気化器は、前記不具合に鑑み成されたもので、摺動絞り弁がストップスクリューに当接した際における摺動絞り弁の傾斜を抑止し、これによってバイパス孔及びジェットニードルとニードルジェットによる環状の間隙から吸気路内へ吸出される燃料の正確な制御と、再現性の秀れた燃料の制御を行なうことのできる摺動絞り弁型気化器を提供することを目的とする。
【０００９】
【課題を解決する為の手段】
本発明になる摺動絞り弁型気化器は、前記目的達成の為に、気化器本体を貫通する吸気路に連設された絞り弁案内筒内に、吸気路を開閉する摺動絞り弁が配置され、
該摺動絞り弁の下端に形成される傾斜面は、気化器本体に螺着されたストップスクリューに対接されて摺動絞り弁の最低アイドリング開度が調整され、
さらに摺動絞り弁は、摺動絞り弁の開閉移動方向に沿って連続的に穿設されたスロットルガイド溝内に、気化器本体に固着されたスロットルガイドが挿入されて、摺動絞り弁の回転が抑止された摺動絞り弁型気化器において、
前記ストップスクリューを、吸気路の長手軸心線に直交して摺動絞り弁の傾斜面に対接配置し、
スロットルガイドを吸気路の長手軸心線上に配置し、
ストップスクリューと、スロットルガイドとを摺動絞り弁の横断投影面において直交配置したことを特徴とする。
【００１０】
而して、ストップスクリューが摺動絞り弁に当接し、摺動絞り弁に回転押圧力が作用しても、この回転押圧力はスロットルガイドとスロットルガイド溝によって抑止されるので、摺動絞り弁が回転することがなく、これによって正確な燃料の制御と再現性の秀れた燃料制御を達成できる。
【００１１】
【実施例】
以下、本発明になる摺動絞り弁型気化器の一実施例について説明する。
図１は、吸気路２の長手軸心線Ｘ−Ｘに沿った縦断面図である。
図２は図１のＰ−Ｐ線における縦断面図である。
尚、図５と同一構造部分については同一符号を使用して説明を省略する。
Ｓはストップスクリューであって吸気路２の長手軸心線Ｘ−Ｘの一側方Ａに配置される。（図２によく示される）
そして、このストップスクリューＳは、気化器本体１に螺着されるとともに吸気路２の長手軸心線Ｘ−Ｘに直交して配置され、その先端は絞り弁案内筒３内に突出し、この先端が摺動絞り弁７の傾斜面７Ａに対接して配置される。
【００１２】
Ｇは、気化器本体１に固着され、絞り弁案内筒３内にその先端が突出するスロットルガイドであり、吸気路２の長手軸心線Ｘ−Ｘ上に配置される。
そして、このスロットルガイドＧの先端は、摺動絞り弁７の開閉移動方向に沿って連続的に穿設されたスロットルガイド溝７Ｂ内に挿入配置される。
【００１３】
以上を要約すれば、ストップスクリューＳは吸気路２の長手軸心線Ｘ−Ｘに直交して配置され、スロットルガイドＧは吸気路２の長手軸心線Ｘ−Ｘ上に配置されるもので、ストップスクリューＳとスロットルガイドＧとは摺動絞り弁７の横断投影面において直交して配置される。
これは、図３によく示される。
【００１４】
そして、本発明におけるスロットルガイド溝７ＢとスロットルガイドＧとの間隙Ｆａ（従来例の間隙Ｆに相当）は極めて微少に形成される。
以下にその理由を述べる。
摺動絞り弁案内筒３の中心に、摺動絞り弁７の中心が完全に一致して配置された状態が図３に示される。
かかる状態において、摺動絞り弁７の外周と、絞り弁案内筒３の内周との間には全周に渡って間隙Ｅが形成される。
この間隙Ｅは摺動絞り弁７が絞り弁案内筒３内を移動する為に必要となる。
一方、スロットルガイドＧは、スロットルガイド溝７Ｂの溝中心に配置され、スロットルガイドＧの外周と、スロットルガイド溝７Ｂの内周との間には、極めて微少な間隙Ｆａが形成される。
そして、機関側の吸気路２Ａ内に大きな負圧が発生する摺動絞り弁７の閉方向移動時において、摺動絞り弁７は、機関側（図３において左側）に吸引され、図４において左方へ、その間隙Ｅに相当して移動する。
【００１５】
ここで注目すべきことは、スロットルガイド溝７Ｂを吸気路２の長手軸心線Ｘ−Ｘに沿って形成したことである。
以上によると、前述の如く摺動絞り弁７の閉方向移動時において、摺動絞り弁７が機関側に吸引されて図４において左方へ移動する際、スロットルガイドＧの外周と、スロットルガイド溝７Ｂの内周との間に形成される間隙Ｆａは摺動絞り弁７の左方への移動ストロークに何等規制を加えるものでない。
すなわち、極めて微少な間隙Ｆａが存在し、摺動絞り弁７が機関側へ移動できればよい。
【００１６】
ここで、本発明によると、摺動絞り弁７が閉方向に移動し、摺動絞り弁７の傾斜面７ＡにストップスクリューＳの先端が当接すると、摺動絞り弁７は、図２において時計方向Ｊの回転押圧力を受ける。
以上によると、摺動絞り弁７は、時計方向Ｊへ回転しようとするものであるが、この回転は、スロットルガイド溝７Ｂの内周面７ＢがスロットルガイドＧの外周面に当接することによって抑止され、摺動絞り弁７が傾斜することがなく、正立状態において絞り弁案内筒３内に案内配置される。
これは、ストップスクリューＳとスロットルガイドＧとを摺動絞り弁７の横断投影面において直交して配置したことによるものである。
又、前述の如く、スロットルガイド溝７ＢとスロットルガイドＧとの間隙Ｆａを極めて微少な間隙としたことによると、摺動絞り弁７の傾斜を極めて小なる範囲に抑止できる。
【００１７】
而して、摺動絞り弁７がストップスクリューＳに当接した際における摺動絞り弁７の傾斜が抑止され、摺動絞り弁７を絞り弁案内筒３内に正立状態に配置できたもので、これによると、摺動絞り弁７に対応して形成されたバイパス孔８との相対位置関係及び摺動絞り弁７に取着されたジェットニードル２１とニードルジェット２２と、によって形成される環状の間隙を正確に制御でき、もって正確な燃料制御を行なうことができたものである。
又、摺動絞り弁７が繰り返し開閉動作を行なった際において、摺動絞り弁７は常にその傾斜が抑止されて必ず正立状態へ復帰させることができ、これによってバイパス孔８及び環状の間隙から吸気路２内へ吸出される燃料のバラツキが抑止されたものである。
【００１８】
【発明の効果】
以上の如く、本発明になる摺動絞り弁型気化器によると、ストップスクリューを、吸気路の長手軸心線に直交して摺動絞り弁に対接配置し、
スロットルガイドを吸気路の長手軸心線上に配置し、
ストップスクリューと、スロットルガイドとを摺動絞り弁の横断投影面において直交配置したので、摺動絞り弁を絞り弁案内筒内に常に正立状態に保持することができ、これによって摺動絞り弁とバイパス孔との相対位置及びジェットニードルとニードルジェットとによって形成される環状の間隙を正確に維持でき、正確な燃料制御と再現性の秀れた燃料制御を行なうことができたものである。
【図面の簡単な説明】
【図１】  本発明になる摺動絞り弁型気化器の一実施例を示す縦断面図。
【図２】  図１のＰ−Ｐ線における縦断面図。
【図３】  図１における摺動絞り弁の拡大横断面図であり、摺動絞り弁が絞り弁案内筒の中心に配置された状態を示す。
【図４】  図３における摺動絞り弁が機関側へ吸引された状態を示す拡大横断面図。
【図５】  従来の摺動絞り弁型気化器を示す縦断面図。
【図６】  図５における摺動絞り弁の拡大横断面図であり、摺動絞り弁が絞り弁案内筒の中心に配置された状態を示す。
【図７】  図６における摺動絞り弁が機関側へ吸引された状態を示す拡大横断面図。
【符号の説明】
２        吸気路
３        絞り弁案内筒
７        摺動絞り弁
Ｓ        ストップスクリュー
Ｇ        スロットルガイド
Ｘ−Ｘ    吸気路の長手軸心線
【図１】
0003951358.tif 000002
【図２】
0003951358.tif 000003
【図３】
0003951358.tif 000004
【図４】
0003951358.tif 000005
【図５】
0003951358.tif 000006
【図６】
0003951358.tif 000007
【図７】
0003951358.tif 000008